(57)【要約】【課題】本発明の目的は、夏の暑い最中においても、冬の寒い最中においても快適に利用することができる椅子を提供することにある。【解決手段】椅子の着座部及び背もたれ部を構成する構成部材を、格子状に配置した第１パイプ３ａ及び第２パイプ３ｂにより形成した。そして、その第２パイプ３ｂの内部に給水路を形成すると共に、その給水路に連通したミストノズル６を設けた。【選択図】図２
2010051459.tif 000002
【特許請求の範囲】
【請求項１】
身体支持部を構成する構成部材が給水路を形成していることを特徴とする椅子。
【請求項２】
前記身体支持部は、着座部及び背もたれ部であることを特徴とする請求項１に記載の椅子。
【請求項３】
前記構成部材に、着座者側以外の方向を指向するミストノズルを設けたことを特徴とする請求項１または２に記載の椅子。
【請求項４】
前記構成部材は、格子状に配置されたパイプ状体から成ることを特徴とする請求項１〜３のうちのいずれか一項に記載の椅子。
【請求項５】
前記パイプ状体において、一方の方向に配置されたパイプ状体の内部には、前記給水路が形成され、他方の方向に配置されたパイプ状体の内部には、循環用の水が流通する流通路が形成されていることを特徴とする請求項４に記載の椅子。
【発明の詳細な説明】
【技術分野】
【０００１】
本発明は、屋外や体育館等の広い室内に対する設置に適した椅子に関するものであって、特に夏期における冷却や冬期における加温に適する椅子に関する。
【背景技術】
【０００２】
一般に、屋外に設置される椅子は、風雨に曝されて劣化することを防止するために、木製のものに替えて合成樹脂製や金属製のものが多く用いられる。ところが、夏の炎天下に置かれた合成樹脂製や金属製の椅子は、座ることを躊躇せざるを得ないほどに熱くなる場合がある。そのため、設置が簡便なキャンバス製の簡易屋根により椅子を覆った例もみられるが、その効果はないよりはよい程度とお思われる。
【０００３】
特に夏場の屋外休憩施設を快適に利用できるものとして、特許文献１には屋外休憩施設の冷却装置が開示されている。この冷却装置は、屋外に設置した椅子、パラソル、テーブル及びベンチ等の屋外休憩施設に霧状に水噴霧を行うノズルが設けられ、そのノズルからの噴霧により周囲を冷却したり冷気を生じさせたりするようになっている。そして、その冷却装置がベンチに用いられる実施例において、水源から水中ポンプにより送られる水は、ベンチや椅子の座板に下向きに設けられているノズルから噴霧され、座板の下側空間やその周囲に冷気を生じさせ、ベンチ等、それ自体の温度も下げるとされている。
【特許文献１】特開平６−１７０２９３号公報（［要約］を参照）
【発明の開示】
【発明が解決しようとする課題】
【０００４】
ところが、前記特許文献１においては、前記ノズルに水を供給するための給水系統については、明細書及び図面のいずれにも開示されていない。しかし、この特許文献１の図面に記載においては、ベンチや椅子は簡易可搬タイプのものと思われるため、前記給水系統は、椅子とは別体の耐圧ホースが用いられ、その耐圧ホースを介して水がノズルに供給されるとするのが自然である。従って、その給水系統がベンチ等にとって必ずしも見栄えのよいものではなく、しかも給水系統を通る水や温水の温度を有効利用できない。
【０００５】
本発明は、このような問題に着目してなされたものであり、その目的とするところは、夏の暑い最中においても、冬の寒い最中においても快適に利用することができると共に、見栄えの良い椅子を提供することにある。
【課題を解決するための手段】
【０００６】
上記問題を解決するために請求項１に記載の椅子の発明は、身体支持部を構成する構成部材が給水路を形成していることを特徴とする。なお、ここで用いられている「椅子」は一人用の椅子に限らず、複数の人が着座することが可能な長椅子も含むものとする。
【０００７】
請求項２に記載の発明は、請求項１に記載の発明において、前記身体支持部は、着座部及び背もたれ部であることを特徴とする。
請求項３に記載の発明は、請求項１または２に記載の発明において、前記構成部材に、着座者側以外の方向を指向するミストノズルを設けたことを特徴とする。
【０００８】
請求項４に記載の発明は、請求項１〜３のうちのいずれか一項に記載の発明において、前記構成部材は、格子状に配置されたパイプ状体から成ることを特徴とするものである。
請求項５に記載の発明は、請求項４に記載の発明において、前記パイプ状体において、一方の方向に配置されたパイプ状体の内部には、前記給水路が形成され、他方の方向に配置されたパイプ状体の内部には、循環用の水が流通する流通路が形成されていることを特徴とするものである。
【０００９】
（作用）
本発明の椅子においては、身体支持部を構成する構成部材が給水路を形成している。このため、椅子内を温水又は冷水を流通させることができ、冷却や加温に供することができる。
【００１０】
また、前記構成部材にミストノズルを設ければ、ミストノズルに水を供給するための送水管を別途配管する場合と異なり、椅子の外観を損なうことが防止される。そして、そのミストノズルからの噴霧により、周辺に冷気を生じさせることが可能となる。
【００１１】
また、上記構成部材を格子状に配置されたパイプ状体で形成すれば、そのパイプ状体の内部を給水路とすることが容易となる。そして、格子状の一方の方向（例えば縦方向）に配置されたパイプ状体の内部に給水路を形成し、他方の方向（例えば横方向）に配置されたパイプ状体の内部に循環用の水が流通する流通路を形成すれば、ミスト状の水の噴霧の有無に関わらず、温水又は冷水を循環させて流通させることができる。
【発明の効果】
【００１２】
本発明によれば、夏の暑い最中においても、冬の寒い最中においても快適に利用することができると共に、見栄えの良い椅子を実現することができる。
【発明を実施するための最良の形態】
【００１３】
（第１の実施形態）
以下、本発明を具体化した椅子１の実施形態を、図１〜４を用いて説明する。
図１に示す屋外用の椅子１（長椅子又はベンチ）は、２ヶ所の脚部５に支持された基体４上に複数個の２人掛け（１人掛けでもよい）の椅子１ａが固定されている。各椅子１ａには、左外枠２ａ、上外枠２ｂ、右外枠２ｃ及び下外枠２ｄが一体に形成されたパイプ状体である鋼製パイプの環状体の外枠２と、その外枠２の内側に背もたれ部及び着座部を構成する構成部材としての受け部材３とが固着されている。椅子１ａは、外枠２及び受け部材３のそれぞれが水の流路となっている。前記背もたれ部及び着座部は身体支持部を構成する。
【００１４】
図２に示すように、受け部材３はパイプ状体である鋼製パイプからなる第１パイプ３ａと第２パイプ３ｂとが格子状に形成されたものである。そして、第１パイプ３ａは外枠２の左外枠２ａと右外枠２ｃとの間を連結して流通路を形成し、第２パイプ３ｂは外枠２の上外枠２ｂと下外枠２ｄとの間を連結して給水路を形成している。なお、第１パイプ３ａと第２パイプ３ｂとは格子状に交差しているが、それぞれの内部の流路は連結していない。
【００１５】
図３及び図４を用いて、受け部材３の詳細を説明する。ここに示される格子状に配置された第１パイプ３ａ及び第２パイプ３ｂは、背もたれ部及び着座部を形成するものである。図４は、図の右側が着座者の側である。図４に示すように、第１パイプ３ａ及び第２パイプ３ｂは、着座者に対して同一面を形成するように着座者側の面の高さが揃えられている。それぞれが交差する部分においては、第２パイプ３ｂが第１パイプ３ａの裏側（図の左側）を迂回するように、第２パイプ３ｂは凹曲部３ｃにおいて湾曲されている。凹曲部３ｃと凹曲部３ｃに配置された第１パイプ３ａとは溶接で固定されている。
【００１６】
また、図３及び図４に示すように、第２パイプ３ｂの裏側（図４の左側）、つまり、背もたれ部の後面側及び着座部の下面側において、２本の第１パイプ３ａの中間に位置する部分には、細孔６ａを有するミストノズル６が固着されており、第２パイプ３ｂ内の水が細孔６ａから外方へミスト状に噴霧されるようになっている。背もたれ部側の細孔６ａ及び着座部側の細孔６ａは着座者側以外の方向を指向し、すなわち、背もたれ部側の細孔６ａが後方を指向し、着座部側の細孔６ａは下方を指向している。このとき、内部の水により外枠２及び受け部材３全体の温度が下がるので、気温が高いときに着座する人にとっては、涼感が心地よく感じられることになる。また、受け部材３の裏側の空間がミスト状に噴霧された水の気化熱により冷やされるので、その冷気が着座者の背面を漂うことになり、着座者の感じる涼感は更に高まることになる。
【００１７】
図５に示す着座センサＳＳ１は椅子１ａの着座部に設けられ、着座者の有無を検出する。温度センサＳＳ２は着座部の裏面に設けられ、椅子１ａの温度を検出する。
なお、本実施形態では、図３に示すように、第２パイプ３ｂの裏側において、ミストノズル６が２本の第１パイプ３ａの間に１個ずつ配置されているが、第１パイプ３ａと第２パイプ３ｂとのよりなる格子の配列ピッチ等に応じて、ミストノズル６の配置は適宜位置とすることが可能である。また、全ての第２パイプ３ｂの裏側にミストノズル６を設けなくてもよい。
【００１８】
また、本実施形態の屋外用の椅子１は複数個の椅子１ａが並設されたものであるが、１個の椅子１ａのみを１個の脚部５で支持する屋外用の椅子１とすることも可能である。更に、複数個の椅子１ａを一体化した構成の長椅子とすることも可能である。
【００１９】
次に図５を用いて、上記のようにミストノズル６からミスト状に水を噴霧したり、受け部材３の背もたれ部や着座部を循環する冷水や温水で冷やしたり暖めたりするための冷水又は温水の回路について説明する。
【００２０】
水道等の水源３３と貯水タンク３２とは開閉弁Ｓ１を介して流路Ｌ０で連結しており、開閉弁Ｓ１の開弁により貯水タンクに水が供給される。このとき、貯水タンク３２に水量計を設置し、開閉弁Ｓ１を電磁式開閉弁とすれば、噴霧による水の減少に対応して、水源３３からの水の自動供給が可能となる。また、貯水タンク３２に図示しないヒートポンプ等の温度調節装置を設置しておけば、回路内に流す水の温度を調節することができる。
【００２１】
貯水タンク３２の水は流路Ｌ１を介してポンプＰで吸い上げられ、流路Ｌ２を介して椅子１ａの回路に供給される。このポンプＰは、複数の椅子１ａに水を供給しミストノズル６からミスト状の水を噴霧することが可能な圧力以上の所定の吐出圧力を維持できる吐出力を有している。また、着座センサＳＳ１により着座者を感知したり、温度センサＳＳ２により設定温度よりも高い気温を感知したりしたとき、制御部３１によりポンプＰの運転・停止が制御されるようになっている。
【００２２】
椅子１ａに供給された水は、外枠２及び受け部材３に供給されることになるが、水の圧力の高低により水流の回路は異なることになる。
各椅子１ａの外枠２に前記流路Ｌ２が接続され、この流路Ｌ２は外枠２の流路２０ａに接続され、その流路２０ａの両端においてパイロット逆止弁７を介して２つの流路２０ｂ、２０ｄに分岐されている。このパイロット逆止弁７はその上流側の圧力を感知して開放動作される。パイロット逆止弁７の下流側における流路２０ｂ、２０ｄには、縦方向の前記第２パイプ３ｂよりなる流路３０ｂの両端が接続されている。また、流路２０ａには横方向の前記第１パイプ３ａよりなる流路３０ａが接続され、その流路３０ａの下流側の端部は、外枠２の流路２０ｃに接続されている。流路２０ｃは隣接する椅子１ａの流路２０ａに接続され、流路３０ａ及び流路２０ｃを介して前記貯水タンク３２に至る流路Ｌ３が接続されている。
【００２３】
前記流路Ｌ２、Ｌ３の配管は前記脚部５内を通り、各椅子１ａ間の配管は前記基体４内を通っている。
水の圧力が低い場合、左外枠２ａ内の流路２０ａを流れる水（温水を含む）は、流路２０ａの両端のパイロット逆止弁７により流れを遮られ、流路２０ｂ、２０ｄには供給されない。そのため、流路２０ａを流れる水は、回路外へ噴霧されることなく、流路３０ａを流れて流路２０ｃに集められ、次の椅子１ａの流路２０ａに供給される。そして、水は、複数の椅子１ａの流路３０ａを流れて、椅子１ａを冷やしたり暖めたりした後、流路Ｌ３を介してリリーフバルブＲに戻り、更に流路Ｌ４及び開閉弁Ｓ２を経由して貯水タンク３２に戻る。このように、水は回路内を循環するようになっている。
【００２４】
また、開閉弁Ｓ２が閉じられた時、貯水タンク３２への戻り流路が遮断されるため、椅子１ａ内の回路内は圧力が上昇して、リリーフバルブＲにより所定圧力に維持される。このとき、椅子１ａの流路２０ａにおいては、水の圧力が所定圧力以上となるため、流路２０ａの両端に設置されたそれぞれのパイロット逆止弁７が開き、水が、上外枠２ｂ内の流路２０ｂへ供給されると同時に、下外枠２ｄ内の流路２０ｄへ供給される。すると、流路２０ｂ及び流路２０ｄから、第２パイプ３ｂ内の流路３０ｂへ、所定圧力の水が供給されるので、複数設けられたミストノズル６の細孔６ａからミスト状の水が噴霧されることになる。
【００２５】
このミスト状の水の噴霧は、全ての椅子１ａのミストノズル６において同時に行われるので、着座者の背面側の空間は、背中の後側、臀部及び大腿部の下側等において冷やされ、着座者に涼感を感じさせることになる。
【００２６】
従って、以上の構成において、椅子１ａの温度が所定値以上であって、着座者が存在する場合は、センサＳＳ１，ＳＳ２からの出力により、開閉弁Ｓ２が閉じられた状態でポンプＰが作動する。このため、椅子１ａ内の回路の圧力が高くなって、パイロット逆止弁７が開放される。従って、ミストノズル６からの噴霧が行われ、椅子１ａ及びその周囲の空間が冷却される。
【００２７】
また、椅子１ａの温度が所定値以上の場合、制御部３１における設定に従って開閉弁Ｓ２が開放された状態でポンプＰを作動させることができる。この場合には、椅子１ａ内の回路の圧力は高くならないため、パイロット逆止弁７は閉鎖状態を維持する。従って、貯水タンク３２からの水は横方向の前記第１パイプ３ａよりなる流路３０ａ内を流れ、ミストノズル６からの噴霧が行われないが、水により椅子１ａを冷却することが可能になる。
【００２８】
さらに、椅子１ａの温度が所定値以下の場合は、センサＳＳ１からの出力により、温度調節装置が作動されて貯水タンク３２内の水が温められる。この状態で着座者が存在する場合は、ポンプＰが作動されるとともに、開閉弁Ｓ２が開放されて、温水が椅子１ａの第１パイプ３ａに供給されて、着座者を暖めるために椅子１ａが暖められるとともに、椅子１ａを加温した温水が貯水タンク３２に戻されて、再度暖められる。
【００２９】
なお、このように格子状に配置された第１パイプ３ａ及び第２パイプ３ｂを椅子１ａの受け部材３とすることなく、例えば公園における遊歩道等にフェンスとして設置して、歩行者に涼感をもたらすようにすることも可能である。その際、ミスト状の水を噴霧する側が下向きにされて緩く傾斜するようにフェンスを設置すれば、歩行者はそのフェンスに寄りかかって休憩することができ、しかも背中に涼感を感じることができる。更に、そのフェンスの上方に日よけを設ければ、涼感を感じさせる効果は一段と高まるものになる。
【００３０】
従って、上記実施形態の屋外用の椅子１によれば、以下のような効果を得ることができる。
（１）上記実施形態では、椅子１ａの着座部及び背もたれ部を構成する受け部材３にミストノズル６を設けて、そのミストノズル６に水を供給する流路３０ｂを受け部材３の内部に形成した。そのため、ミストノズル６に水を供給するための送水管を別途配管する場合と異なり、椅子１の外観を損なうことが防止され、受け部材３の周辺に冷気を生じさせ、また、受け部材３自体の温度を下げて着座者に涼感を感じさせることが可能な椅子１を提供することができる。
【００３１】
（２）上記実施形態では、受け部材３を格子状に配置された第１パイプ３ａ及び第２パイプ３ｂで形成して、それぞれの内部を流路３０ａ及び流路３０ｂとした。そして、パイロット逆止弁７により流路３０ｂに水を供給せずに流路３０ａだけに水を流通させることができるようにした。そのためミスト状の水の噴霧の有無に関わらず、温水又は冷水を椅子１ａにおいて流通させることができる。従って、着座者に対して、夏季においてはより涼感を感じさせ、冬季においては暖かさを感じさせることが可能な椅子１を提供することができる。
【００３２】
（３）上記実施形態では、開閉弁Ｓ２を閉弁することにより水の回路内の圧力を所定圧力以上とし、これに基づいてパイロット逆止弁７を開き流路３０ｂに水を供給して、ミストノズル６からのミスト状の水の噴霧を可能とした。そのため、高圧少量の水で冷却効果を得ることができるので省資源的なランニングコストにより、着座者に涼感を感じさせることが可能な椅子１を提供することができる。
【００３３】
（４）上記実施形態では、流路Ｌ２、Ｌ３等の配管を脚部５や基体４の内部に通した。そのため、地中の配管と椅子１ａ内部の水の回路とを連結する給水路及び排水路を椅子の外部に露出させることなく形成することができるので、美観が損なわれずに維持された椅子１を提供することができる。
【００３４】
（５）上記実施形態では、着座センサＳＳ１及び温度センサＳＳ２を設置し、それぞれのセンサからの信号を受けた制御部３１によりポンプＰの運転・停止を制御して、ミストノズル６からの水の噴霧や温水の供給を制御できるようにした。そのため、夏季等において、気温が低い場合あるいは冬季において気温が高い場合及び着座者がいない場合のいずれかが該当する場合、水を噴霧しないようにしたり、温水を供給しないようにしたりすることができるので、ランニングコストにおいて省資源化を実現した椅子１を提供することができる。
【００３５】
（変更例）
なお、上記実施形態は、次のように変更して具体化することも可能である。
・  椅子１ａを、着座部及び背もたれ部に加えて、身体支持部としてのオットマン，ヘッドレスト，肘掛けのうちの少なくとも一つを有する構成とするとともに、それらのオットマン，ヘッドレスト，肘掛けを給水路としての給水管により構成すること。そして、それらの給水管に着座者側以外の方向を指向するミストノズルを設けること。
・  椅子１ａを、着座部のみを有する構成とするとともに、その着座部を給水路としての給水管により構成すること。そして、その給水管に着座者側以外の方向を指向するミストノズルを設けること。
・  椅子１ａの構成部材として、格子状に配置された第１パイプ３ａ及び第２パイプ３ｂにより受け部材３を形成したが、受け部材３を板状に形成して、その内部に流路３０ａ及び流路３０ｂを区画形成し、流路３０ｂに連通したミストノズル６を設けること。
・  第１パイプ３ａと第２パイプ３ｂとを直交する格子状に配置したが、第１パイプ３ａと第２パイプ３ｂとが、互いに直交することなく斜めに交差するようにすること。
・  外枠２及び受け部材３を鋼製としたが、外枠２及び受け部材３の両方又はいずれか一方を合成樹脂製とすること。また、受け部材３を合成樹脂製のチューブで形成して、そのチューブ内に水が供給されるようにすること。
・  屋外用の椅子１を２個の椅子１ａにより形成したが、２個以外の複数の数の椅子１ａとすること。
・  脚部５を左右の２ヶ所に設けたが、３個以上の数の脚部５を設けること。
・  着座センサＳＳ１及び温度センサＳＳ２を設けたが、そのいずれか一方のセンサのみを設けること。
・  ミストノズル６をパイロット逆止弁７の下流側において外枠２に設けること。
【００３６】
（他の技術的思想）
さらに、上記実施形態より把握できる技術的思想について、それらの効果と共に以下に記載する。
（Ａ）  前記着座部及び背もたれ部の外枠はパイプで形成され、その外枠の内部にはパイロット逆止弁により区分されて、前記給水路に連通する流路と前記流通路に連通する流路とが形成されていることを特徴とする請求項５に記載の屋外用の椅子。このように構成した場合、パイロット逆止弁７の機能を利用してミストノズル６を有する流路３０ｂに連通する流路２０ｂ、２０ｄと有しない流路３０ａに連通する流路２０ａとして別々に区分けすることができる。しかも、ミストノズル６から噴霧が行われないときには、パイロット逆止弁７によりミストノズル６を有する流路３０ｂが閉鎖されるため、ミストノズル６からの水の漏洩が防止される。
（Ｂ）  水源に接続された配管が脚部内に通されていることを特徴とする請求項１ないし５、前記技術的思想（Ａ）項のうちのいずれか一項に記載の屋外用の椅子。このように構成した場合、水の給排水のための配管を椅子１ａの外部に露出させることなく形成することができる。
（Ｃ）  着座センサ及び温度センサのいずれか一方又は両方が設置され、それぞれのセンサからの信号を受けた制御部によりミストノズルからの水の噴霧を制御するようにしたことを特徴とする請求項１ないし５、前記技術的思想（Ａ）項、（Ｂ）項のうちのいずれか一項に記載の屋外用の椅子。このように構成した場合、夏季等において気温が低い場合及び着座者がいない場合のいずれかが該当する場合に、ミストの噴霧を停止することができる。
（Ｄ）  複数の脚部を有し、その脚部に支持される基体上に複数の着座部及び背もたれ部が横方向に並設されたベンチタイプであることを特徴とする請求項１ないし５、前記技術的思想（Ａ）〜（Ｃ）項のうちのいずれか一項に記載の屋外用の椅子。このように構成した場合、個々の着座部及び背もたれ部において、水をミスト状に噴霧したり、水又は温水を循環させたりすることが可能となる。
【図面の簡単な説明】
【００３７】
【図１】本発明の実施形態の屋外用の椅子を模式的に示す図であり、（ａ）はその正面図、（ｂ）は左側面図。
【図２】本発明の実施形態の屋外用の椅子の一部の背面を示す斜視図。
【図３】本発明の実施形態の構成部材を裏面から見た模式図。
【図４】図３におけるＡＡ矢視の断面図。
【図５】本発明の実施形態における水の流れを示す回路図。
【符号の説明】
【００３８】
１，１ａ…椅子、２…外枠、３…受け部材、３ａ…第１パイプ、３ｂ…第２パイプ、４…基体、５…脚部、６…ミストノズル。
【図１】
2010051459.tif 000003
【図２】
2010051459.tif 000004
【図３】
2010051459.tif 000005
【図４】
2010051459.tif 000006
【図５】
2010051459.tif 000007